(57)【特許請求の範囲】
【請求項１】
複数の光学シートが積層された状態で筒状に形成されたチューブ体を備えた照明装置において、
前記チューブ体は、当該チューブ体を形成する光学シートの両長さ方向端部を当該光学シートの両面から挟み込む保持手段によって、筒状に保持されてなることを特徴とする照明装置。
【請求項２】
前記保持手段は、板状の受け部材と板状の押え部材と当該受け部材と当該押え部材との間に前記光学シートを挟持するビス機構を備えたことを特徴とする請求項１記載の照明装置。
【請求項３】
前記積層された光学シートの両長さ方向端部が重ならずに前記保持手段に保持されたことを特徴とする請求項２記載の照明装置。
【請求項４】
前記受け部材と前記押え部材との間の距離が前記積層された光学シートの厚さよりも大きいことを特徴とする請求項３に記載の照明装置。
【請求項５】
前記光学シートの長さ方向端部に、前記ビス機構を構成するビスを挿通する保持穴を設け、当該保持穴に前記ビスが挿通されたことを特徴とする請求項２、３又は４のいずれかに記載の照明装置。
【請求項６】
前記ビスの周囲に保護部材を備えたことを特徴とする請求項５に記載の照明装置。
【請求項７】
前記受け部材の幅方向端部に、前記光学シートの長手方向端部を係合させる係合手段を備えたことを特徴とする請求項２又は３のいずれかに記載の照明装置。
【請求項８】
前記係合手段は、前記光学シートの長手方向端部に備えられた係合用穴と、前記受け部材の幅方向端部に備えられた係合用ピンとで構成されたことを特徴とする請求項７記載の照明装置。
【請求項９】
前記係合用ピンの周囲に保護部材を備えたことを特徴とする請求項８に記載の照明装置。
【請求項１０】
前記保持手段は、前記光学シートの長さ方向端部を挿入可能な溝部を両側面に備えた保持材と、当該保持材の外面側若しくは内面側の少なくとも一方から当該保持材に備えられた保持用部材とからなることを特徴とする請求項１記載の照明装置。
【請求項１１】
前記保持手段は、前記光学シートの長さ方向端部を挿入して固定する固定部材と、当該固定部材をその長手方向からのみ挿入可能にした溝部を備えた保持材とからなることを特徴とする請求項１記載の照明装置。
【請求項１２】
前記保持手段に、前記チューブ体設置用の設置部材を備えるための設置用ビスを設けたことを特徴とする請求項１乃至１１のいずれかに記載の照明装置。
【請求項１３】
前記光学シートを挟持するビス機構を構成するビスが、前記チューブ体設置用の設置部材を備えるための設置用ビスと兼用されたことを特徴とする請求項２乃至９のいずれかに記載の照明装置。
【請求項１４】
前記チューブ体は、反射シート、プリズムシート、拡散反射シート及び保護シートの各光学シートが積層され、前記プリズムシート及び前記保護シートが筒状に保持されたことを特徴とする請求項１乃至１３のいずれかに記載の照明装置。
【請求項１５】
請求項７又は８のいずれかに記載の照明装置の製造方法であって、
前記受け部材を冶具に支持させて、前記光学シートのいずれか一方の長手方向端部の係合用穴に何れか一方の前記係合用ピンを挿通した後、残る一方の長手方向端部の係合用穴を残る一方の前記係合用ピンに挿通し、前記押え部材によって前記光学シートを筒状に保持することを特徴とする照明装置の製造方法。
【発明の詳細な説明】
【０００１】
【発明が属する技術分野】
本発明は、照明装置及び当該照明装置の製造方法に関する。具体的には、複数枚の光学シートを重ね合わせて略筒状に形成されたチューブ体を備えた照明器具及び当該照明装置の製造方法に関する。
【０００２】
【従来の技術】
図１５は従来の照明装置を示す概略構成図である。当該照明装置は、光を導光して光を放射するチューブ体１００と、当該チューブ体１００のいずれか一方の端部に備えられた光源部１１０とからなる。チューブ体１００は、複数枚の光学シート、例えば、プリズム面を有し、光を外部に出射するプリズムシート１０１とチューブ体内で光を反射させ、出射光量を高めるための反射シート１０２並びに光拡散防止用の拡散反射シート１０３、さらにこれらの各シートを保護し、チューブ状に維持するための保護シート１０４から構成されている。
【０００３】
チューブ体１００は、反射シート１０２の外周にプリズムシート１０１が配置され、当該プリズムシート１０１の外周に保護シート１０４が配置されており、各シートの間は各シートの長さ方向端部において、例えば特開平９−１６１５２４号公報に開示されたような方法により、それぞれ両面粘着テープによって貼り合わせられ積層されている。また、保護シート１０４は、更にその合わせ目部分にその外側から片面粘着テープによってチューブ状に維持されている。
【０００４】
【発明が解決しようとする課題】
しかしながら、当該方法によって作製されたチューブ体１００では時間の経過と共に粘着力が低下して、粘着部分が剥がれ、チューブ形状が維持できなくなる場合があった。
【０００５】
また、各シートの長さ方向端部をズレなく貼り合わせる必要があり、さらに積層された各シートを円筒状に丸め、その端部を粘着テープで止める作業が必要であった。このため、チューブ体１００の作製に困難さを極め、作業性、生産性が非常に悪く、チューブ体１００ひいては照明装置の作製に困難さを極めていた。
【０００６】
しかも、チューブ体１００の内部は高温になるため、使用する各粘着テープの材質についても耐熱性、耐候性に優れたものを用いなければならず、材料コストが高くなり、照明器具の製造コストを引き上げる原因ともなっていた。
【０００７】
本発明の上記従来技術の欠点に鑑みてなされたものであって、複数の光学シートを重ね合わせたチューブ体を簡単に製造すると共に製造コストを引き下げ、信頼性ある当該チューブ体を利用した照明装置を安価に提供することにある。
【０００８】
【課題を解決するための手段】
本発明に係る照明装置は、複数の光学シートが積層された状態で筒状に形成されたチューブ体を備えた照明装置において、前記チューブ体は、当該チューブ体を形成する光学シートの両長さ方向端部を当該光学シートの両面から挟み込む保持手段によって、筒状に保持されてなることを特徴としている。
【０００９】
本発明においては、前記保持手段として、板状の受け部材と板状の押え部材と当該受け部材と当該押え部材との間に前記光学シートを挟持するビス機構とから構成されたものを用いることができる。
【００１０】
この場合には、前記積層された光学シートの両長さ方向端部が重ならないように前記保持手段に保持するのが好ましく、さらに望ましくは、前記受け部材と前記押え部材との間の距離が前記積層された光学シートの厚さよりも大きくなるようにするのがよい。
【００１１】
また、前記光学シートの長さ方向端部に、前記ビス機構を構成するビスを挿通する保持穴を設け、当該保持穴に前記ビスを挿通することもできる。
【００１２】
これらの照明装置においては、前記ビスの周囲に保護部材を備えるのがよい。
【００１３】
あるいは、前記受け部材の幅方向端部に、前記光学シートの長手方向端部を係合させる係合手段を備えることもできる。
【００１４】
当該係合手段として、例えば、前記光学シートの長手方向端部に備えられた係合用穴と、前記受け部材の幅方向端部に備えられた係合用ピンとで構成されたものを用いることができる。
【００１５】
また、前記係合用ピンの周囲に保護部材を備えるのが好ましい。
【００１６】
さらに、前記保持手段として、前記光学シートの長さ方向端部を挿入可能な溝部を両側面に備えた保持材と、当該保持材の外面側若しくは内面側の少なくとも一方から当該保持材に備えられた保持用部材とからなるものを用いることもできる。
【００１７】
また、前記保持手段として、前記光学シートの長さ方向端部を挿入して固定する固定部材と、当該固定部材をその長手方向からのみ挿入可能にした溝部を備えた保持材とから構成することもできる。
【００１８】
これらの照明装置においては、前記保持手段に、前記チューブ体設置用の設置部材を備えるための設置用ビスを設けるのがよく、前記光学シートを挟持するビス機構を構成するビスが、当該設置用ビスと兼ね備えさせるのがよい。
【００１９】
また、本発明においては、前記チューブ体として、反射シート、プリズムシート、拡散反射シート及び保護シートの各光学シートが積層され、前記プリズムシート及び前記保護シートが筒状に保持されたことを特徴としている。
【００２０】
本発明に係る照明装置の製造方法は、保持手段として、前記光学シートの長さ方向端部を挿入可能な溝部を両側面に備えた保持材と、当該保持材の外面側若しくは内面側の少なくとも一方から当該保持材に備えられた保持用部材とからなるものを用いた照明装置の製造方法であって、前記受け部材を冶具に支持させて、前記光学シートのいずれか一方の長手方向端部の係合用穴に何れか一方の前記係合用ピンを挿通した後、残る一方の長手方向端部の係合用穴を残る一方の前記係合用ピンに挿通し、前記押え部材によって前記光学シートを筒状に保持することを特徴としている。
【００２１】
【発明の実施の形態】
以下、本発明について各図に従って詳細に説明する。図１は、本発明の一実施形態に係る照明装置を示す概略的斜視図、図２は当該照明装置を構成するチューブ体１の一部破断した断面図、図３は当該チューブ体１の分解斜視図である。当該照明装置は、複数枚の光学シートからなるチューブ体１と当該チューブ体１の一方の端部に備えられた光源部２とからなる。図示するチューブ体１は、４枚の光学シート、すなわちプリズム面を有し光を外部に出射するプリズムシート１１と、チューブ体１内で光を反射させ出射光量を高めるための反射シート１２並びに光拡散防止用の拡散反射シート１３、さらにこれらの各シートを保護し、チューブ状に維持するための保護シート１４から構成されている。これらの各シートは、チューブ体１の内側から拡散反射シート１３、プリズムシート１１、反射シート１２及び保護シート１４と積層されているが、これらのうち、プリズムシート１１及び保護シート１４のみが円筒状に丸められ、チューブ体１が形成されている。また、拡散反射シート１３及び反射シート１２は、任意に設けられるものであって、本発明においては必須の構成をなすものではなく、これらの２つのシートはチューブ体１の一部領域、具体的には、プリズムシート１１及び保護シート１４の合わせ目部分を中心とするチューブ体１の上部側に設けられる。また、反射シート１２は拡散反射シート１３よりも狭い領域に設けられる。
【００２２】
本発明においては、当該チューブ体１は丸められた上記プリズムシート１１及び保護シート１４の２つの長手方向端部が保持手段によって挟持された状態で、円筒状に維持されている。この実施形態にあっては、保持手段は、チューブ体１の内面側からプリズムシート１１を支える受け部材２０と、その外面側から保護シート１４を押える押え部材３０とから構成されている。受け部材２０及び押え部材３０はそれぞれほぼ板状に形成されており、チューブ体１の長手方向全体にわたって備えられている。これらの受け部材２０及び押え部材３０は、ボルト４１及びナット４２から構成されるビス機構によって、４枚のシートを挟持できる。
【００２３】
受け部材２０は、押え部材３０との間で各シートを保持する平面状をした保持部２１とその両側に曲折形成された曲折部２２を備える。この結果、丸められた光学シートは当該保持部２１の側端面において切断されることなく良好に円筒状に維持される。
【００２４】
また、受け部材２０には、その長手方向、複数箇所（図示例では３ヶ所）に、ボルト４１挿通用のネジ穴２３が設けられ、受け部材２０の下面から前記ボルト４１が挿通される。これら受け部材２０及び押え部材３０は、例えば金属材料や耐熱性のあるプラスチック材料から作製されており、好ましくはアルミニウムやプラスチック材料などの軽量材質のものから作製される。
【００２５】
さらに受け部材２０の両端部には、当該ボルト４１挿通用のネジ穴２３の外側に位置して、係合用ピン４３挿通用の穴２４がそれぞれ設けられている。当該ネジ穴２４には、受け部材２０の下面から係合用ピン４３が挿通され、例えばネジ機構によって受け部材２０に固定される。この係合用ピン４３は、積層された上記４枚の光学シートを係合させるためのものである。なお、ボルト４１及び係合用ピン４３は、受け部材２０と一体に設けることもできる。
【００２６】
一方、押え部材３０は、光学シートを受け部材２０との間で挟持する平面状をした保持部３１とその両側に凸字形状に膨らんだキャップ部３２とを備えている。キャップ部３２は、前記係合用ピン４３をカバーするものであって、その内径は係合用ピン４３の外径とほぼ同じ大きさあるいはそれよりも大きく形成されている。
【００２７】
このチューブ体１は下記に示すようにして作製されるが、当該チューブ体１に用いられる光学シートには図３に示すものが用いられる。すなわち、チューブ体１の最も内側に備えられる反射シート１２には、その幅方向中央部にボルト４１挿通用の穴１５が開設され、当該反射シート１２の両端部に、当該穴１５の外側に位置して、前記係合用ピン４３を挿通させる保持用穴１６が開設されている。プリズムシート１１には、前記係合用ピン４３が挿通されプリズムシート１１の長さ方向端部が係合される係合用穴１７が、両長さ方向端部に開設されている。拡散反射シート１３には、その幅方向中央部にボルト４１挿通用の穴１５が開設され、当該拡散反射シート１３の両端部に、当該穴１５の外側に位置して、前記係合用ピン４３を挿通させる保持用穴１７が開設されている。なお、拡散反射シート１３の幅は、反射シート１２の幅よりも長く作製されている。また、保護シート１４には、プリズムシート１１と同様に、前記係合用ピン４３を挿通させ、保護シート１４の長さ方向端部を係合させる係合用穴１７が、両長さ方向端部に開設されている。これらボルト４１挿通用の穴１５や係合用穴１７、保持用穴１６の径は、それぞれ各シートの伸縮量を考慮して設定される。
【００２８】
チューブ体１の作製にあたっては、固定治具が用いられる。図４に示す如く、固定治具は例えば角棒状の固定部材５０からなり、その上端面が受け部材２０の下面に嵌合可能な形状に作製されたものである。チューブ体１の作製に当たっては、当該固定部材５０の端面が図示しない製造装置などに固定され、固定された固定部材５０の上面に受け部材２０が固定される。
【００２９】
まず、固定部材５０に固定された受け部材２０に反射シート１２を装着する。次に、プリズムシート１１の何れか一方の係合用穴１７を係合用ピン４３に填め、プリズムシート１１の一方の長さ方向端部を受け部材２０に係合させる。そして、残る一方の長さ方向端部の係合用穴１７を係合用ピン４３に填め、プリズムシート１１を筒状に保持する。その後、拡散反射シート１３を受け部材２０に保持させる。この後、保護シート１４の何れか一方の係合用穴１７を係合用ピン４３に挿通し、拡散反射シート１３をプリズムシート１１に密着させるようにして筒状に丸め、残る一方の係合用穴１７を係合用ピン４３を填め、係合用ピン４３に係止する。そして、最後に図５に示す如く、押え部材３０を保護シート１４上から被せてナット４２で固定し、チューブ体１を作製する。
【００３０】
このように、受け部材２０と押え部材３０とによって、光学シートの長さ方向端部を挟持させることにより、光学シートを予め粘着テープで積層することなく、非常に簡単な方法チューブ体１を作製できる。また、耐候性などに優れた粘着テープが不要になり、安価に作製される受け部材２０及び押え部材３０を用いることができる。この結果、作業性が向上されると共に製造コストを引き下げられる。
【００３１】
図６は、本発明の別な実施形態に係る照明装置を構成するチューブ体１の一部破断した断面図である。当該照明装置にあっては、光学シートを挟持するボルト４１先端に、天井や道路側壁などに設置するための設置部材が備えられている。図示例では、当該設置部材としていわゆるレースウェイ６０が備えられている。当該レースウェイ６０は、金属板が曲折されて断面略コ字形状に作製されており、ボルト４１とレースウェイ６０を固定する固定片６１と当該固定片６１の両端に備えられたセット用片６２とから構成されている。固定片６１にはボルト４１を挿通させるが設けられている。また、セット用片６２の下端部がそれぞれ内側に折り曲げられ、押え部材３０のキャップ部３２に当接される。このレースウェイ６０は、固定片６１の穴に挿通させたボルト４１にナット４５を締め付けることによって取り付けられる。すなわち、当該照明装置においては、光学シートを挟持するボルト４１が設置部材を備えるための設置用ボルト４６を兼ね備えている。この結果、チューブ体１（照明装置）をレースウェイ６０（設置部材）に簡単に取り付けることができる。
【００３２】
図７は、本発明のさらに別な実施形態に係る照明装置を構成するチューブ体１の一部破断した断面図である。当該チューブ体１にあっては、図１に示す実施形態とほぼ同様な構成であるが、当該照明装置においては、前記係合用ピン４３の周囲にチューブ状の保護部材４４が備えられている。当該保護部材４４は、例えばフッ素樹脂などのプラスチック材料などから表面が平滑に作製され、係合用ピン４３のネジ機構とプリズムシート１１の係合用穴１７の周面や保護シート１４の係合用穴１７の周面とが直接接触しないように構成されている。この結果、プリズムシート１１や保護シート１４の熱膨張や自重等により、係合用穴１７が破断しチューブ体１が破損するのを防止できる。
【００３３】
また、図８に示すチューブ体１においては、押え部材３０をナット４２によって締め付けた際、押え部材３０と受け部材２０との間隔が、積層された４枚の光学シートの厚みよりも大きくなるように係合用ピン４３の長さが調整され、積層された光学シートと保持手段との間に遊びが設けられている。この結果、周囲の温度変化、使用による温度変化によって光学シートに生じる伸縮による光学シートの破損や変形を防ぎ、また、伸縮に伴う光学シートの移動により生じる異音の発生を防止できる。
【００３４】
これまで説明した上記の各実施形態における照明装置は、チューブ体１を形成する光学シート（プリズムシート１１及び保護シート１４）の長手方向端部に係合用穴１７を設け、当該係合用穴１７を押え部材３０に備えた係合用ピン４３に係合することによって円筒形状に保持するものであったが、係合用ピン４３は必ずしも必須のものでない。図９に示すチューブ体１は、前記係合用穴１７や係合用ピン４３を用いずに、押え部材３０と受け部材２０によって、光学シートの長手方向端部が挟持されている。このような単純な構造にして、チューブ体１を構成することもできる。
【００３５】
また、上記いずれの照明装置においては、プリズムシート１１及び保護シート１４の両長手方向端部が重ね合うことのないようにチューブ体１が形成されている。この結果、チューブ体１をひずみの少ない円筒状に保持できる。もちろん、図１０に示すチューブ体１の如く、プリズムシート１１の両長手方向端部を重ね合わせて一本のボルト４１に係合して挟持させることにしても全く差し支えないものである。
【００３６】
図１１は、本発明のさらに別な実施形態に係る照明装置を構成するチューブ体１の一部破断した断面図である。当該チューブ体１においても、プリズムシート１１及び保護シート１４の長手方向端部を挟持する保持手段によって、略円筒状にチューブ体１が保持されている。当該保持手段は、断面略エの字形状に作製され、その側面に積層された光学シートの長手方向端部を挿入可能になった溝部７１が備えられた保持材７０からなる。当該保持材７０は、例えば金属材料や耐熱性のあるプラスチック材料などから作製され、好ましくは軽量化を図るため、アルミニウムやプラスチック材料などの軽量材料より作製される。また、当該保持材７０には、チューブ体１の外面側から取り付けられた保持用部材７２が備えられている。当該保持用部材７２は、溝部７１に挿入された光学シートを挟持できるものであればよく、例えば、ビスやリベットあるいは接着剤などが用いられ、図示例ではビスが保持材７０に螺合されている。さらに、保持材７０にはその長手方向、複数箇所において、設置部材を備えるための設置用ボルト４６が設けられている。当該設置用ボルト４６には、図８に示すようなレースウェイ６０が備えられる。
【００３７】
チューブ体１は、すなわち、反射シート１２とプリズムシート１１、拡散反射シート１３及び保護シート１４の４枚の光学シートから構成されているが、当該チューブ体１においては、プリズムシート１１及び保護シート１４の両長手方向端部側にそれぞれ、反射シート１２及び拡散反射シート１３が積層される。
【００３８】
当該照明装置にあっては、これら積層された４枚の光学シートの長手方向端部が前記溝部７１に挿入され、保持材７０に螺合されたビスによって挟持され、チューブ体１が形成されている。このような保持手段によってチューブ体１を形成することもできる。
【００３９】
図１２はさらに別な実施の形態に係る照明装置を構成するチューブ体１の一部破断した断面図、図１３は当該チューブ体１を構成する光学シートが積層された状態を示す斜視図、図１４はその側面図である。当該照明装置においては、反射シート１２及び拡散反射シート１３の長手方向端部を積層した状態で保持する固定部材８０と、当該固定部材８０が挿通される断面略矩形状をした保持材９０とから保持手段が構成されている。固定部材８０は、棒状の押え部８１を備えており、当該押え部８１には積層された光学シートの長手方向端部を挿入する溝部８２が備えられている。また、押え部８１には保持された光学シート面に沿ってわずかに延設された舌状部８３が備えられている。この固定部材８０は、光学シートの長手方向の全体にわたって備えられているが、部分的に備えても差し支えない。
【００４０】
当該チューブ体１においても、図１１に示すチューブ体１と同様に、プリズムシート１１及び保護シート１４の両長手方向端部側にそれぞれ、反射シート１２及び拡散反射シート１３が積層されている。積層された光学シートは、その長手方向端部が前記溝部８２に挿入され、例えば接着やかしめ、リベットあるいはネジ止めなどの方法によって固定部材８０に固定されている。図示例では、光学シートは接着によって固定されており、接着による場合には、溝部８２及び舌状部８３と接触する領域においてのみ接着剤８４が塗布され、保護シート１４及び拡散シートが固定されている。
【００４１】
保持材９０は、例えば角棒状に形成されており、その側面には前記固定部材８０が挿通され、固定部材８０とほぼ同様の形状をした溝部９１が設けられている。当該溝部９１は、前記固定部材８０の押え部８１を保持材９０の端面からのみ挿入できるようになっており、その側面からは抜け落ちない構造となっている。また、保持材９０には、その長手方向複数箇所に、設置部材を備えるための設置用ボルト４６が設けられている。
【００４２】
このチューブ体１では、光学シートが予め固定部材８０によって積層された状態に維持されているため、光学シートの長手方向端部が安定しており、保持材９０への装着作業を非常に容易に行なえる。また、光学シートの各長手方向端部を厳密に一致させる必要もなく、作業性が向上される。
【００４３】
このように本発明においては、チューブ体１を形成する保護シート１４及びプリズムシート１１を幅方向端部を挟持する保持手段によって、筒状に保持する構造であるため、予め粘着テープによって光学シートを貼り合わせる必要がなく、作業性を容易にできる。
【００４４】
【発明の効果】
本発明の照明装置によれば、チューブ体を形成する光学シートの両長さ方向端部を当該光学シートの両面から挟み込む保持手段によって筒状に保持してチューブ体が形成されているので、従来のように両面粘着テープで予め貼着することなく、チューブ体を組立てることができる。このため、作業性が各段に向上されると共に、材料コストの低廉化を図り、照明装置を安価に提供できる。
【００４５】
また、機械的な方法により光学シートの長さ方向端部を保持しているので、長期使用による合わせ部の劣化ということがなく、長期にわたって安定にしようできる。
【００４６】
当該保持手段としては、板状の受け部材と板状の押え部材と当該受け部材と当該押え部材との間に前記光学シートを挟持するビス機構を備えることができる。この保持手段では、非常に簡単な構造によって光学シートを挟持できる。
【００４７】
このとき、前記受け部材と前記押え部材との間の距離が前記積層された光学シートの厚さよりも大きく設定することにより、受け部材と押え部材との間に遊びができ、周囲の温度変化、使用による温度変化によって光学シートに生じる伸縮による光学シートの破損や変形を防ぎ、また、伸縮に伴う光学シートの移動により生じる異音の発生を防止できる。
【００４８】
さらに、前記光学シートの長さ方向端部に、前記ビス機構を構成するビスを挿通する保持穴を設け、当該保持穴に前記ビスを挿通させたり、あるいは、前記受け部材の幅方向端部に、前記光学シートの長手方向端部を係合させる係合手段、例えば、前記光学シートの長手方向端部に備えられた係合用穴と、前記受け部材の幅方向端部に備えられた係合用ピンとを設けることにより、至極簡単にチューブ体を形成できる。
【００４９】
この場合、前記ビスや係合用ピンの周囲に保護部材を備えることにより、当該ビスや係合用ピンが挿通された光学シートの穴端面の破損を防ぐことができ、信頼性のある照明装置を提供できる。
【００５０】
あるいは、前記光学シートの長さ方向端部を挿入可能な溝部を両側面に備えた保持材と、当該保持材の外面側若しくは内面側の少なくとも一方から当該保持材に備えられた保持用部材とから、光学シートを筒状に保持することもできる。
【００５１】
さらに、前記光学シートの長さ方向端部を挿入して固定する固定部材と、当該固定部材をその長手方向からのみ挿入可能にした溝部を備えた保持材とから、光学シートを筒状に保持することもできる。
【００５２】
特に後者の場合、予め光学シートを積層した状態に作製しておけるため、より簡単にチューブ体を作製できる。
【００５３】
このように、本発明によれば、粘着テープを使用して光学テープを積層したり、筒状に保持することが不要になり、作業性を向上すると共に製造コストの低廉、長期使用にわたる信頼性を向上できる。
【図面の簡単な説明】
【図１】本発明の一実施形態に係る照明装置を示す概略的斜視図である。
【図２】同上の照明装置を構成するチューブ体の一部破断した断面図である。
【図３】同上のチューブ体の分解斜視図である。
【図４】同上のチューブ体の製造方法を示す概略的説明図である。
【図５】同上のチューブ体の製造方法を示す続図である。
【図６】同上の別な実施形態に係る照明装置を構成するチューブ体の一部破断した断面図である。
【図７】同上のさらに別な実施形態に係る照明装置を構成するチューブ体の一部破断した断面図である。
【図８】同上のさらに別な実施形態に係る照明装置を構成するチューブ体の一部破断した断面図である。
【図９】同上のさらに別な実施形態に係る照明装置を構成するチューブ体の一部破断した断面図である。
【図１０】同上のさらに別な実施形態に係る照明装置を構成するチューブ体の斜視図である。
【図１１】同上のさらに別な実施形態に係る照明装置を構成するチューブ体の一部破断した断面図である。
【図１２】同上のさらに別な実施形態に係る照明装置を構成するチューブ体の一部破断した断面図である。
【図１３】図１２に示すチューブ体を構成する光学シートが積層された状態を示す斜視図である。
【図１４】図１３に示す光学シートが積層された状態を示す側面図である。
【図１５】従来例である照明装置の概略的構成図である。
【符号の説明】
１  チューブ体
２  光源部
１１  プリズムシート
１２  反射シート
１３  拡散反射シート
１４  保護シート
１５  ボルト挿通用の穴
１６  係合用ピン挿通用の穴
１７  係合用穴
２０  受け部材
３０  押え部材
４１  ボルト
４３  係合用ピン
４４  係合用ピンの保護部材
４６  設置用ビス
５０  固定部材
６０  レースウェイ（設置部材）
７０  保持材
７１  光学シートを挿入する溝部
７２  保持用部材
８０  光学シートの長手方向端部を固定する固定部材
９０  固定部材を保持する保持材
【図１】
0004407075.tif 000002
【図２】
0004407075.tif 000003
【図３】
0004407075.tif 000004
【図４】
0004407075.tif 000005
【図５】
0004407075.tif 000006
【図６】
0004407075.tif 000007
【図７】
0004407075.tif 000008
【図８】
0004407075.tif 000009
【図９】
0004407075.tif 000010
【図１０】
0004407075.tif 000011
【図１１】
0004407075.tif 000012
【図１２】
0004407075.tif 000013
【図１３】
0004407075.tif 000014
【図１４】
0004407075.tif 000015
【図１５】
0004407075.tif 000016